(57)【特許請求の範囲】
【請求項１】
患者が治療のためのトレーニングに用いる患者端末（２）と、該患者の支援者の支援者端末（３−ｎ）と、にネットワーク（Ｎ）を介して接続され、
前記患者毎に、該患者の支援者の前記支援者端末（３−ｎ）を特定可能な支援者情報を対応付けて登録する患者データベース（４２１）と、
前記患者の治療に効果的なメッセージを登録するメッセージデータベース（４２２）と、
前記患者端末（２）から前記ネットワーク（Ｎ）を介して前記患者のトレーニングの開始が通知されたことに応答して、該患者の前記支援者情報を前記患者データベース（４２１）から読み出し、前記メッセージデータベース（４２２）に登録されている前記メッセージを、前記ネットワーク（Ｎ）を介して前記患者データベース（４２１）から読み出した前記支援者情報から特定される前記支援者端末（３−ｎ）に選択可能に表示し、前記支援者が前記支援者端末（３−ｎ）において選択した前記メッセージを、該支援者からのメッセージとして、前記ネットワーク（Ｎ）を介して前記患者端末（２）に表示するサーバ制御部（４３）と、
を備えるサーバ装置（４）。
【請求項２】
患者が治療のためのトレーニングに用いる患者端末（２）にネットワークを介して接続されたサーバ装置（４）と、
前記サーバ装置（４）に前記ネットワーク（Ｎ）を介して接続された前記患者の支援者の支援者端末（３−ｎ）と、
を具備し、
前記サーバ装置（４）は、
前記患者毎に、該患者の支援者の前記支援者端末（３−ｎ）を特定可能な支援者情報を対応付けて登録する患者データベース（４２１）と、
前記患者の治療に効果的なメッセージを登録するメッセージデータベース（４２２）と、
前記患者端末（２）から前記ネットワーク（Ｎ）を介して前記患者のトレーニングの開始が通知されたことに応答して、該患者の前記支援者情報を前記患者データベース（４２１）から読み出し、前記メッセージデータベース（４２２）に登録されている前記メッセージを選択可能に表示するための表示データを、前記ネットワーク（Ｎ）を介して前記患者データベース（４２１）から読み出した前記支援者情報から特定される前記支援者端末（３−ｎ）に送信し、前記支援者端末（３−ｎ）から前記ネットワーク（Ｎ）を介して送信されるメッセージ選択指令を受信したことに応答して、該メッセージ選択指令から特定される前記メッセージを、前記支援者からのメッセージとして、該ネットワーク（Ｎ）を介して前記患者端末（２）に表示するサーバ制御部（４３）と、
を備え、
前記支援者端末（３−ｎ）は、
前記サーバ装置（４）から前記ネットワーク（Ｎ）を介して送信される前記表示データを受信したことに応答して、該表示データに基づき、前記患者の治療に効果的なメッセージを選択可能に表示する表示部（３２）と、
前記表示部（３２）に表示される前記メッセージの中から、前記支援者が選択したメッセージを示すメッセージ選択指令を、前記ネットワーク（Ｎ）を介して前記サーバ装置（４）に送信する端末制御部（３４）と、
を備える治療支援システム（１）。
【請求項３】
患者が治療のためのトレーニングに用いる患者端末（２）と、該患者の支援者の支援者端末（３−ｎ）と、にネットワーク（Ｎ）を介して接続され、前記患者毎に、該患者の支援者の前記支援者端末（３−ｎ）を特定可能な支援者情報を対応付けて登録する患者データベース（４２１）と、前記患者の治療に効果的なメッセージを登録するメッセージデータベース（４２２）と、を備えるサーバ装置（４）による治療支援方法であって、
前記患者端末（２）から前記ネットワーク（Ｎ）を介して前記患者のトレーニングの開始が通知されたことに応答して、該患者の前記支援者情報を前記患者データベース（４２１）から読み出し、
前記メッセージデータベース（４２２）に登録されている前記メッセージを、前記ネットワーク（Ｎ）を介して前記支援者端末（３−ｎ）に選択可能に表示し、
前記支援者が前記支援者端末（３−ｎ）において選択した前記メッセージを、該支援者からのメッセージとして、前記ネットワーク（Ｎ）を介して前記患者データベース（４２１）から読み出した前記支援者情報から特定される前記患者端末（２）に表示する、
ことを特徴とする治療支援方法。
【請求項４】
患者が治療のためのトレーニングに用いる患者端末（２）にネットワークを介して接続され、前記患者毎に、該患者の支援者の前記支援者端末（３−ｎ）を特定可能な支援者情報を対応付けて登録する患者データベース（４２１）と、前記患者の治療に効果的なメッセージを登録するメッセージデータベース（４２２）と、を備えるサーバ装置（４）と、前記サーバ装置（４）に前記ネットワーク（Ｎ）を介して接続された前記患者の支援者の支援者端末（３−ｎ）と、を具備する治療支援システム（１）における治療支援方法であって、
前記サーバ装置（４）が、前記患者端末（２）から前記ネットワーク（Ｎ）を介して前記患者のトレーニングの開始が通知されたことに応答して、該患者の前記支援者情報を前記患者データベース（４２１）から読み出し、
前記サーバ装置（４）が、前記メッセージデータベース（４２２）に登録されている前記メッセージを選択可能に表示するための表示データを、前記ネットワーク（Ｎ）を介して前記患者データベース（４２１）から読み出した前記支援者情報から特定される前記支援者端末（３−ｎ）に送信し、
前記支援者端末（３−ｎ）が、前記サーバ装置（４）から前記ネットワーク（Ｎ）を介して送信される前記表示データを受信したことに応答して、該表示データに基づき、前記メッセージデータベース（４２２）に登録されている前記メッセージを選択可能に表示部（３２）に表示し、
前記支援者端末（３−ｎ）が、前記表示部（３２）に表示される前記メッセージの中から、前記支援者が選択したメッセージを示すメッセージ選択指令を、前記ネットワーク（Ｎ）を介して前記サーバ装置（４）に送信し、
前記サーバ装置（４）が、前記支援者端末（３−ｎ）から前記ネットワーク（Ｎ）を介して送信されるメッセージ選択指令を受信したことに応答して、該メッセージ選択指令から特定される前記メッセージを、前記支援者からのメッセージとして、該ネットワーク（Ｎ）を介して前記患者端末（２）に表示する、
ことを特徴とする治療支援方法。
【請求項５】
患者が治療のためのトレーニングに用いる患者端末（２）と、該患者の支援者の支援者端末（３−ｎ）と、にネットワーク（Ｎ）を介して接続され、前記患者毎に、該患者の支援者の前記支援者端末（３−ｎ）を特定可能な支援者情報を対応付けて登録する患者データベース（４２１）と、前記患者の治療に効果的なメッセージを登録するメッセージデータベース（４２２）と、を備えるサーバ装置（４）のコンピュータに、
前記患者端末（２）から前記ネットワーク（Ｎ）を介して前記患者のトレーニングの開始が通知されたことに応答して、該患者の前記支援者情報を前記患者データベース（４２１）から読み出す手順と、
前記メッセージデータベース（４２２）に登録されている前記メッセージを、前記ネットワーク（Ｎ）を介して前記患者データベース（４２１）から読み出した前記支援者情報から特定される前記支援者端末（３−ｎ）に選択可能に表示する手順と、
前記支援者が前記支援者端末（３−ｎ）において選択した前記メッセージを、該支援者からのメッセージとして、前記ネットワーク（Ｎ）を介して前記患者端末（２）に表示する手順と、
を実行させるためのプログラム。
【発明の詳細な説明】
【技術分野】
【０００１】
本発明は、支援者端末、サーバ装置、治療支援システム、治療支援方法、及びプログラムに関し、特に、患者の症状の悪化を防止できる支援者端末、サーバ装置、治療支援システム、治療支援方法、及びプログラムに関する。
【背景技術】
【０００２】
自閉症スペクトラム症候群等の発達障害を抱える子供やその保護者向けのグループセラピとしては、１９６０年代にアメリカで開発された“ペアレントトレーニング”と呼ばれるプログラムが広く知られ、一定の成果を得ている。この“ペアレントトレーニング”により、保護者は、発達障害の子供への接し方や、フィードバックの仕方等の知見を獲得できる（例えば特許文献１参照）。なお、本明細書中に特許文献１の明細書、特許請求の範囲、図面全体を参考として取り込むものとする。
【先行技術文献】
【特許文献】
【０００３】
【特許文献１】特開２００５−２１５０１９号公報
【発明の概要】
【発明が解決しようとする課題】
【０００４】
このようなグループセラピは、軽度認知障害（Mild Cognitive Impairment；ＭＣＩ）や認知症の患者に対しても有効と考えられる。もっとも、ＭＣＩの患者は、記憶障害及び見当識障害等の症状や、うつ及び興奮等の不安定な感情表現等が見られるため、支援者のメッセージの意味を捉え間違える等して、感情的になったり、深く傷ついたりして、患者のトレーニングに対するモチベーションを喪失し、却ってＭＣＩの患者の症状が悪化するおそれがある。このように、周囲の支援者によるＭＣＩや認知症の患者の支援をスムースに行うことは容易ではなく、周囲の支援者からＭＣＩや認知症の患者に対するフィードバックには、細心の注意や相応の知識が必要となる。
【０００５】
本発明は、上記の課題を解決するためになされたものであって、患者の症状の悪化を防止できる支援者端末、サーバ装置、治療支援システム、治療支援方法、及びプログラムを提供することを目的とする。
【課題を解決するための手段】
【０００６】
上記の目的を達成するため、本発明の第１の観点に係る支援者端末（３−ｎ）は、患者が患者端末（２）を用いて治療のためのトレーニングを開始したことがネットワーク（Ｎ）を介して通知されたときに、予め用意された患者の治療に効果的なメッセージを選択可能に表示する表示部（３２）と、前記表示部（３２）に表示される前記メッセージの中から、前記患者の支援者が選択したメッセージを、該支援者からのメッセージとして、前記ネットワーク（Ｎ）を介して前記患者端末（２）に表示する端末制御部（３４）と、を備える。
【０００７】
上記の支援者端末（３−ｎ）において、前記表示部（３２）は、前記患者の特性に対応する前記メッセージを選択可能に表示する、ことが好ましい。
【０００８】
上記の支援者端末（３−ｎ）において、前記表示部（３２）は、前記患者のトレーニングの開始が通知された後、前記支援者が該患者のトレーニングの支援への参加を指示したことに応答して、前記メッセージを選択可能に表示する、ようにしてもよい。
【０００９】
上記の支援者端末（３−ｎ）において、前記表示部（３２）は、前記患者のトレーニングの状況を表示する、ことが好ましい。
【００１０】
本発明の第２の観点に係るサーバ装置（４）は、患者が治療のためのトレーニングに用いる患者端末（２）と、該患者の支援者の支援者端末（３−ｎ）と、にネットワーク（Ｎ）を介して接続され、前記患者の治療に効果的なメッセージを登録するメッセージデータベース（４２２）と、前記患者端末（２）から前記ネットワーク（Ｎ）を介して前記患者のトレーニングの開始が通知されたことに応答して、前記メッセージデータベース（４２２）に登録されている前記メッセージを、前記ネットワーク（Ｎ）を介して前記支援者端末（３−ｎ）に選択可能に表示し、前記支援者が前記支援者端末（３−ｎ）において選択した前記メッセージを、該支援者からのメッセージとして、前記ネットワーク（Ｎ）を介して前記患者端末（２）に表示するサーバ制御部（４３）と、を備える。
【００１１】
上記のサーバ装置（４）は、前記患者毎に、該患者の特性を対応付けて登録する患者データベース（４２１）をさらに備え、前記メッセージデータベース（４２２）は、前記患者の特性に対応付けて、前記メッセージを登録し、前記サーバ制御部（４３）は、前記患者端末（２）から前記ネットワーク（Ｎ）を介して前記患者のトレーニングの開始が通知されたことに応答して、該患者の特性を患者データベース（４２１）から読み出し、前記患者の特性に対応する前記メッセージを前記メッセージデータベース（４２２）から検出し、前記ネットワーク（Ｎ）を介して前記支援者端末（３−ｎ）に選択可能に表示する、ことが好ましい。
【００１２】
上記のサーバ装置（４）は、前記患者毎に、該患者の支援者の前記支援者端末（３−ｎ）を特定可能な支援者情報を対応付けて登録する患者データベース（４２１）をさらに備え、前記サーバ制御部（４３）は、前記患者端末（２）から前記ネットワーク（Ｎ）を介して前記患者のトレーニングの開始が通知されたことに応答して、該患者の前記支援者情報を前記患者データベース（４２１）から読み出し、前記メッセージデータベース（４２２）に登録されている前記メッセージを前記ネットワーク（Ｎ）を介して、前記患者データベース（４２１）から読み出した前記支援者情報から特定される前記支援者端末（３−ｎ）に選択可能に表示する、ようにしてもよい。
【００１３】
上記のサーバ装置（４）において、前記サーバ制御部（４３）は、前記患者端末（２）から前記ネットワーク（Ｎ）を介して前記患者のトレーニングの開始が通知されたことに応答して、該患者のトレーニングの開始を該ネットワーク（Ｎ）を介して、該患者の支援者の前記支援者端末（３−ｎ）にさらに通知し、前記支援者端末（３−ｎ）から前記ネットワーク（Ｎ）を介して前記患者のトレーニングの支援への参加が指示されたことに応答して、前記メッセージデータベース（４２２）に登録されている前記メッセージを該ネットワーク（Ｎ）を介して、該患者のトレーニングの支援への参加を指示した該支援者端末（３−ｎ）に選択可能に表示する、ようにしてもよい。
【００１４】
本発明の第３の観点に係る治療支援システム（１）は、患者が治療のためのトレーニングに用いる患者端末（２）にネットワークを介して接続されたサーバ装置（４）と、前記サーバ装置（４）に前記ネットワーク（Ｎ）を介して接続された前記患者の支援者の支援者端末（３−ｎ）と、を具備し、前記サーバ装置（４）は、前記患者の治療に効果的なメッセージを登録するメッセージデータベース（４２２）と、前記患者端末（２）から前記ネットワーク（Ｎ）を介して前記患者のトレーニングの開始が通知されたことに応答して、前記メッセージデータベース（４２２）に登録されている前記メッセージを選択可能に表示するための表示データを、前記ネットワーク（Ｎ）を介して前記支援者端末（３−ｎ）に送信し、前記支援者端末（３−ｎ）から前記ネットワーク（Ｎ）を介して送信されるメッセージ選択指令を受信したことに応答して、該メッセージ選択指令から特定される前記メッセージを、前記支援者からのメッセージとして、該ネットワーク（Ｎ）を介して前記患者端末（２）に表示するサーバ制御部（４３）と、を備え、前記支援者端末（３−ｎ）は、前記サーバ装置（４）から前記ネットワーク（Ｎ）を介して送信される前記表示データを受信したことに応答して、該表示データに基づき、前記メッセージデータベース（４２２）に登録されている前記メッセージを選択可能に表示する表示部（３２）と、前記表示部（３２）に表示される前記メッセージの中から、前記支援者が選択したメッセージを示すメッセージ選択指令を、前記ネットワーク（Ｎ）を介して前記サーバ装置（４）に送信する端末制御部（３４）と、を備える。
【００１５】
本発明の第４の観点に係る治療支援方法は、患者が患者端末（２）を用いて治療のためのトレーニングを開始したことがネットワーク（Ｎ）を介して通知されたときに、予め用意された患者の治療に効果的なメッセージを選択可能に表示部（３２）に表示し、前記表示部（３２）に表示される前記メッセージの中から、前記患者の支援者が選択したメッセージを、該支援者からのメッセージとして、前記ネットワーク（Ｎ）を介して前記患者端末（２）に表示する、ことを特徴とする。
【００１６】
本発明の第５の観点に係る治療支援方法は、患者が治療のためのトレーニングに用いる患者端末（２）と、該患者の支援者の支援者端末（３−ｎ）と、にネットワーク（Ｎ）を介して接続され、前記患者の治療に効果的なメッセージを登録するメッセージデータベース（４２２）を備えるサーバ装置（４）による治療支援方法であって、前記患者端末（２）から前記ネットワーク（Ｎ）を介して前記患者のトレーニングの開始が通知されたことに応答して、前記メッセージデータベース（４２２）に登録されている前記メッセージを、前記ネットワーク（Ｎ）を介して前記支援者端末（３−ｎ）に選択可能に表示し、前記支援者が前記支援者端末（３−ｎ）において選択した前記メッセージを、該支援者からのメッセージとして、前記ネットワーク（Ｎ）を介して前記患者端末（２）に表示する、ことを特徴とする。
【００１７】
本発明の第６の観点に係る治療支援方法は、患者が治療のためのトレーニングに用いる患者端末（２）にネットワークを介して接続され、前記患者の治療に効果的なメッセージを登録するメッセージデータベース（４２２）を備えるサーバ装置（４）と、前記サーバ装置（４）に前記ネットワーク（Ｎ）を介して接続された前記患者の支援者の支援者端末（３−ｎ）と、を具備する治療支援システム（１）における治療支援方法であって、前記サーバ装置（４）が、前記患者端末（２）から前記ネットワーク（Ｎ）を介して前記患者のトレーニングの開始が通知されたことに応答して、前記メッセージデータベース（４２２）に登録されている前記メッセージを選択可能に表示するための表示データを、前記ネットワーク（Ｎ）を介して前記支援者端末（３−ｎ）に送信し、前記支援者端末（３−ｎ）が、前記サーバ装置（４）から前記ネットワーク（Ｎ）を介して送信される前記表示データを受信したことに応答して、該表示データに基づき、前記患者の治療に効果的なメッセージを選択可能に表示部（３２）に表示し、前記支援者端末（３−ｎ）が、前記表示部（３２）に表示される前記メッセージの中から、前記支援者が選択したメッセージを示すメッセージ選択指令を、前記ネットワーク（Ｎ）を介して前記サーバ装置（４）に送信し、前記サーバ装置（４）が、前記支援者端末（３−ｎ）から前記ネットワーク（Ｎ）を介して送信されるメッセージ選択指令を受信したことに応答して、該メッセージ選択指令から特定される前記メッセージを、前記支援者からのメッセージとして、該ネットワーク（Ｎ）を介して前記患者端末（２）に表示する、ことを特徴とする。
【００１８】
本発明の第７の観点に係るプログラムは、コンピュータに、患者が患者端末（２）を用いて治療のためのトレーニングを開始したことがネットワーク（Ｎ）を介して通知されたときに、予め用意された患者の治療に効果的なメッセージを選択可能に表示部（３２）に表示する手順と、前記表示部（３２）に表示される前記メッセージの中から、前記患者の支援者が選択したメッセージを、該支援者からのメッセージとして、前記ネットワーク（Ｎ）を介して前記患者端末（２）に表示する手順と、を実行させる。
【００１９】
本発明の第８の観点に係るプログラムは、患者が治療のためのトレーニングに用いる患者端末（２）と、該患者の支援者の支援者端末（３−ｎ）と、にネットワーク（Ｎ）を介して接続され、前記患者の治療に効果的なメッセージを登録するメッセージデータベース（４２２）を備えるサーバ装置（４）のコンピュータに、前記患者端末（２）から前記ネットワーク（Ｎ）を介して前記患者のトレーニングの開始が通知されたことに応答して、前記メッセージデータベース（４２２）に登録されている前記メッセージを、前記ネットワーク（Ｎ）を介して前記支援者端末（３−ｎ）に選択可能に表示する手順と、前記支援者が前記支援者端末（３−ｎ）において選択した前記メッセージを、該支援者からのメッセージとして、前記ネットワーク（Ｎ）を介して前記患者端末（２）に表示する手順と、を実行させる。
【発明の効果】
【００２０】
本発明によれば、患者の症状の悪化を防止できる支援者端末、サーバ装置、治療支援システム、治療支援方法、及びプログラムを提供することができる。
【図面の簡単な説明】
【００２１】
【図１】本実施形態に係る治療支援システムの構成例を示す図である。
【図２】患者端末の構成例を示すブロック図である。
【図３】プレイ画面の表示例を示す図である。
【図４】支援者端末の構成例を示すブロック図である。
【図５】メッセージ選択画面の表示例を示す図である。
【図６】サーバ装置の構成例を示すブロック図である。
【図７】プレイ開始通知処理の詳細を示すフローチャートである。
【図８】治療支援処理の詳細を示すフローチャートである。
【図９】治療支援処理の続きを示すフローチャートである。
【発明を実施するための形態】
【００２２】
以下、本発明を実施するための最良の形態について説明する。
【００２３】
まず、本発明の実施形態に係る治療支援システムの構成について図面を参照しつつ説明する。
【００２４】
図１は、本実施形態に係る治療支援システムの構成例を示す図である。
【００２５】
図１に示すように、治療支援システム１は、患者端末２と、支援者端末３−ｎ（ｎは自然数）と、サーバ装置４と、を具備し、これらは、インターネット等のネットワークＮを介して相互に通信可能に接続される。
【００２６】
患者端末２は、例えば汎用のスマートフォンや、タブレットコンピュータ、パーソナルコンピュータ等から構成される。患者端末２は、例えば軽度認知障害（Mild Cognitive Impairment；ＭＣＩ）の患者が治療のためのトレーニングに用いる。
【００２７】
図２は、患者端末の構成例を示すブロック図である。
【００２８】
図２に示すように、患者端末２は、記憶部２１と、タッチパネル２２と、通信部２３と、制御部２４と、を備え、これらはバス等を介して接続される。
【００２９】
記憶部２１は、例えば汎用のフラッシュメモリ等の不揮発性メモリ等から構成される。記憶部２１には、ＭＣＩの患者を治療するためのアプリケーションプログラム（以下、「治療プログラム」という。）等の各種アプリケーションプログラムがインストールされている。治療プログラムには、患者の脳のトレーニングを行ってＭＣＩの進展を予防するための各種ゲーム等が含まれている。
【００３０】
タッチパネル２２は、例えば液晶表示装置とポインティングデバイスとを組み合わせた汎用のタッチパネル等から構成される。タッチパネル２２は、各種画面を表示するとともに、患者による各種操作を受け付ける。本実施形態において、患者は、タッチパネル２２に表示されるプレイ画面において、治療プログラムに含まれる各種ゲーム等をプレイする。
【００３１】
図３は、プレイ画面の表示例を示す図である。
【００３２】
図３に示すように、プレイ画面３００には、患者がプレイ中のゲームが表示されるとともに、その下方には、患者の家族や親類等といった患者と親密な関係にある周囲の支援者の表示名と、「すごいよ！」や「おめでとう！」等といったゲームをプレイ中の患者を応援する支援者からのメッセージ（フィードバックメッセージ）と、が表示される。
【００３３】
図２に示す通信部２３は、例えば汎用の無線通信装置等から構成される。通信部２３は、患者がゲームのプレイを開始したことをサーバ装置４に通知する第１プレイ開始通知をネットワークＮを介してサーバ装置４に送信する。通信部２３は、サーバ装置４からネットワークＮを介して送信されるメッセージ表示指令を受信する。
【００３４】
制御部２４は、例えばＣＰＵ（Central Processing Unit）、ＲＯＭ（Read Only Memory）、及びＲＡＭ（Random Access Memory）等から構成される。ＣＰＵは、ＲＡＭをワークメモリとして用い、ＲＯＭ及び記憶部２１に記憶されている各種プログラム等を適宜実行することによって、患者端末２の各種動作を制御する。
【００３５】
本実施形態において、制御部２４は、患者がタッチパネル２２に表示される治療プログラムを示すアイコンをタップしたことに応答して、記憶部２１に記憶される治療プログラムを起動し、治療プログラムのトップ画面をタッチパネル２２に表示する。次に、制御部２４は、患者がトップ画面においてプレイするゲームを選択したことに応答して、ゲームをプレイするためのプレイ画面３００をタッチパネル２２に表示する。また、制御部２４は、ゲームを開始した患者を特定可能な患者識別子を含む第１プレイ開始通知を通信部２３からネットワークＮを介してサーバ装置４に送信する。
【００３６】
制御部２４は、サーバ装置４からネットワークＮを介して送信されるメッセージ表示指令を通信部２３で受信したことに応答して、プレイ画面３００において、メッセージ表示指令から特定される支援者の表示名と、その支援者が選択したメッセージと、を患者がプレイ中のゲームの下方に表示する。
【００３７】
図１に示す支援者端末３−ｎは、患者端末２と同様に、汎用のスマートフォンや、タブレットコンピュータ、パーソナルコンピュータ等から構成される。支援者端末３−ｎは、患者の家族や親類等といった患者と親密な関係にある周囲の支援者によって所持される。
【００３８】
図４は、支援者端末の構成例を示すブロック図である。
【００３９】
図４に示すように、支援者端末３−ｎは、記憶部３１と、タッチパネル３２と、通信部３３と、制御部（端末制御部）３４と、を備え、これらはバス等を介して接続される。
【００４０】
記憶部３１は、記憶部２１と同様に、汎用のフラッシュメモリ等の不揮発性メモリ等から構成される。記憶部３１には、ゲームをプレイ中の患者を支援するためのアプリケーションプログラム（以下、「支援プログラム」という。）等の各種アプリケーションプログラムがインストールされている。
【００４１】
タッチパネル３２は、タッチパネル２２と同様に、汎用のタッチパネル等から構成される。タッチパネル３２は、各種画面を表示するとともに、支援者による各種操作を受け付ける。本実施形態において、タッチパネル３２には、ゲームをプレイ中の患者を応援するためのメッセージを複数種類の中から選択するためのメッセージ選択画面が表示される。
【００４２】
図５は、メッセージ選択画面の表示例を示す図である。
【００４３】
図５に示すように、メッセージ選択画面５００には、「すごいよ！」や、「おめでとう！」、「良かったね！」等といったメッセージが選択可能に表示されるとともに、その上方には、患者がプレイ中のゲームの状況が表示される。これにより、患者がプレイ中のゲームの状況は、支援者にも共有される。支援者は、患者がプレイ中のゲームの状況を踏まえつつ、メッセージ選択画面５００において、ゲームをプレイ中の患者を応援するメッセージをタップして選択する。
【００４４】
図２に示す通信部３３は、通信部２３と同様に、汎用の無線通信装置等から構成される。通信部３３は、サーバ装置４からネットワークＮを介して送信される第２プレイ開始通知や、メッセージ選択画面５００を表示するための表示データ等を受信する。また、通信部３３は、ゲームをプレイ中の患者の応援への参加を要求する応援参加要求や、支援者が選択したメッセージを示すメッセージ選択指令をネットワークＮを介してサーバ装置４に送信する。
【００４５】
制御部３４は、制御部２４と同様に、ＣＰＵ、ＲＯＭ、及びＲＡＭ等から構成される。ＣＰＵは、ＲＡＭをワークメモリとして用い、ＲＯＭ及び記憶部３１に記憶されている各種プログラム等を適宜実行することによって、支援者端末３−ｎの各種動作を制御する。
【００４６】
本実施形態において、制御部３４は、サーバ装置４からネットワークＮを介して送信される第２プレイ開始通知を通信部３３で受信したことに応答して、患者がゲームのプレイを開始したことを、タッチパネル３２に表示したり、図示せぬスピーカから音声を出力したり、図示せぬバイブレータを用いてプッシュ通知をしたりして、支援者に通知する。
【００４７】
次に、制御部３４は、支援者がタッチパネル３２に表示される支援プログラムを示すアイコンをタップして、ゲームをプレイ中の患者の応援への参加を指示したことに応答して、記憶部３１に記憶される支援プログラムを起動するとともに、支援者を特定可能な支援者識別子を含む応援参加要求を通信部３３からネットワークＮを介してサーバ装置４に送信する。
【００４８】
制御部３４は、サーバ装置４からネットワークＮを介して送信されるメッセージ選択画面５００の表示データを通信部３２で受信したことに応答して、表示データに基づいて、メッセージ選択画面５００をタッチパネル３２に表示する。そして、制御部３４は、支援者がメッセージ選択画面５００においてメッセージをタップして選択したことに応答して、支援者が選択したメッセージと、その支援者を特定可能な支援者識別子と、を含むメッセージ選択指令を通信部３２からネットワークＮを介して送信する。
【００４９】
図１に示すサーバ装置４は、例えば汎用のサーバコンピュータや汎用のデータベース（DataBase；ＤＢ）等から構成される。
【００５０】
図６は、サーバ装置の構成例を示すブロック図である。
【００５１】
図６に示すように、サーバ装置４は、通信部４１と、記憶部４２と、制御部（サーバ制御部）４３と、を備え、これらはバス等を介して接続される。
【００５２】
通信部４１は、例えばＮＩＣ（Network Interface Card）等から構成される。通信部４１は、患者端末２からネットワークＮを介して送信される第１プレイ開始通知を受信する。通信部４１は、患者がゲームのプレイを開始したことを支援者端末３−ｎに通知する第２プレイ開始通知や、メッセージ選択画面５００の表示データをネットワークＮを介して支援者端末３−ｎに送信する。また、通信部４１は、支援者端末３−ｎからネットワークＮを介して送信される応援参加要求や、メッセージ選択指令を受信する。通信部４１は、支援者によって選択されたメッセージの表示を指令するメッセージ表示指令をネットワークＮを介して患者端末２に送信する。
【００５３】
記憶部４２は、例えば汎用のハードディスクドライブ等から構成される。本実施形態において、記憶部４２は、患者ＤＢ４２１と、メッセージＤＢ４２２と、を備える。
【００５４】
患者ＤＢ４２１は、患者毎に、その患者に関する情報（以下、「患者情報」という。）と、その患者の周囲の支援者の支援者端末３−ｎを特定可能な情報（以下、「支援者情報」という。）と、を対応付けて登録する。患者情報には、例えば患者を特定可能な患者識別子、及び患者の氏名や特性（例えば性別や、年齢、病状、性格等）等が含まれる。支援者情報には、例えば支援者を特定可能な支援者識別子、支援者の表示名、患者との関係、及びメールアドレス等が含まれる。
【００５５】
メッセージＤＢ４２２は、患者の特性に対応付けて、ゲームをプレイ中の患者を応援する支援者からのメッセージを複数種類登録する。
【００５６】
ＭＣＩの患者の症状の改善には、患者の家族や親類等といった患者と親密な関係にある周囲の支援者からの支援が必要不可欠である。患者の脳のトレーニングを行うためのゲームをプレイ中の患者を応援する支援者からのメッセージも、患者に自信を持たせ、患者のトレーニングに対するモチベーションを維持させることができるため、ＭＣＩの患者の症状を改善する上で極めて有効である。もっとも、ＭＣＩの患者は、記憶障害及び見当識障害等の症状や、うつ及び興奮等の不安定な感情表現等が見られるため、支援者のメッセージの意味を捉え間違える等して、感情的になったり、深く傷ついたりして、患者のトレーニングに対するモチベーションを喪失し、却ってＭＣＩの患者の症状が悪化するおそれがある。そこで、本実施形態では、ＭＣＩの患者の治療に効果的なメッセージのみをメッセージＤＢ４２２に予め用意しておき、支援者は、ゲームをプレイ中の患者を応援するメッセージを、メッセージＤＢ４２２から選択して患者と対話するようにしているため、ＭＣＩの患者の症状を悪化させるおそれのあるメッセージが発せられることを防止できる。
【００５７】
メッセージＤＢ４２２に登録されるメッセージは、ＭＣＩの患者の治療に関し相応の知識する専門医やセラピスト等のグループセラピの専門家によって監修され、適宜更新される。
【００５８】
制御部４３は、例えばＣＰＵ、ＲＯＭ、及びＲＡＭ等から構成される。ＣＰＵは、ＲＡＭをワークメモリとして用い、ＲＯＭ及び記憶部４２に記憶されているプログラム等を適宜実行することによって、サーバ装置４の各種動作を制御する。
【００５９】
本実施形態において、制御部４３は、患者端末２からネットワークＮを介して送信される第１プレイ開始通知を通信部４１で受信したことに応答して、第１プレイ開始通知に含まれる患者識別子に対応する患者情報及び支援者情報を患者ＤＢ４２１から読み出す。次に、制御部４３は、支援者情報から特定される支援者が所持する支援者端末３−ｎに、第２プレイ開始通知を通信部４１からネットワークＮを介して送信する。
【００６０】
制御部４３は、支援者端末３−ｎからネットワークＮを介して送信される応援参加要求を通信部４１で受信したことに応答して、患者ＤＢ３２１から読み出した患者情報に含まれる患者の特性に対応するメッセージをメッセージＤＢ４２２から複数種類検出する。続いて、制御部４３は、メッセージＤＢ４２２から検出した複数種類のメッセージの中から、ゲームをプレイ中の患者を応援するためのメッセージを選択するためのメッセージ選択画面５００の表示データを生成する。そして、制御部４３は、応援参加要求に含まれる支援者識別子から特定される支援者が所持する支援者端末３−ｎに、メッセージ選択画面５００の表示データを通信部４１からネットワークＮを介して送信する。
【００６１】
制御部４３は、支援者端末３−ｎからネットワークＮを介して送信されるメッセージ選択指令を通信部４１で受信したことに応答して、メッセージ選択指令に含まれる支援者識別子に対応する支援者情報から特定される支援者の表示名と、メッセージ選択指令に含まれるメッセージと、を含むメッセージ表示指令を通信部４１からネットワークＮを介して患者端末２に送信する。
【００６２】
次に、上記構成を備える治療支援システム１が実行する各種処理について図面を参照して説明する。
【００６３】
患者端末２のタッチパネル２２に表示される治療プログラムのトップ画面において、患者がプレイするゲームを選択したことに応答して、治療支援システム１は、プレイ開始処理を開始する。
【００６４】
図７は、プレイ開始処理の詳細を示すフローチャートである。
【００６５】
図７に示すプレイ開始処理において、まず、患者端末２の制御部２４は、ゲームをプレイするためのプレイ画面３００をタッチパネル２２に表示する（ステップＳ７０１）。
【００６６】
また、制御部２４は、ゲームを開始した患者を特定可能な患者識別子を含む第１プレイ開始通知を通信部２３からネットワークＮを介してサーバ装置４に送信する（ステップＳ７０２）。
【００６７】
サーバ装置４の制御部４３は、患者端末２からネットワークＮを介して送信される第１プレイ開始通知を通信部４１で受信したことに応答して（ステップＳ７０３）、第１プレイ開始通知に含まれる患者識別子に対応する患者情報及び支援者情報を患者ＤＢ４２１から読み出す（ステップＳ７０４）。
【００６８】
次に、制御部４３は、支援者情報から特定される支援者が所持する支援者端末３−ｎに、第２プレイ開始通知を通信部４１からネットワークＮを介して送信する（ステップＳ７０５）。
【００６９】
支援者端末３−ｎの制御部３４は、サーバ装置４からネットワークＮを介して送信される第２プレイ開始通知を通信部３３で受信したことに応答して（ステップＳ７０６）、患者がゲームのプレイを開始したことを支援者に通知してから（ステップＳ７０７）、プレイ開始処理を終了する。
【００７０】
その後、支援者がタッチパネル３２に表示される支援プログラムを示すアイコンをタップして、ゲームをプレイ中の患者の応援への参加を指示したことに応答して、記憶部３１に記憶される支援プログラムを起動し、治療支援処理を開始する。
【００７１】
図８及び図９は、治療支援処理の詳細を示すフローチャートである。
【００７２】
図８及び図９に示す治療支援処理において、まず、制御部３４は、支援者を特定可能な支援者識別子を含む応援参加要求を通信部３３からネットワークＮを介してサーバ装置４に送信する（図８に示すステップＳ８０１）。
【００７３】
サーバ装置４の制御部４３は、支援者端末３−ｎからネットワークＮを介して送信される応援参加要求を通信部４１で受信したことに応答して（ステップＳ８０２）、患者ＤＢ３２１から読み出した患者情報に含まれる患者の特性に対応するメッセージをメッセージＤＢ４２２から複数種類検出する（ステップＳ８０３）。
【００７４】
続いて、制御部４３は、メッセージＤＢ４２２から検出した複数種類のメッセージの中から、ゲームをプレイ中の患者を応援するためのメッセージを選択するためのメッセージ選択画面５００の表示データを生成する（ステップＳ８０４）。
【００７５】
そして、制御部４３は、応援参加要求に含まれる支援者識別子から特定される支援者が所持する支援者端末３−ｎに、メッセージ選択画面５００の表示データを通信部４１からネットワークＮを介して送信する（ステップＳ８０５）。
【００７６】
支援者端末３−ｎの制御部３４は、サーバ装置４からネットワークＮを介して送信されるメッセージ選択画面５００の表示データを通信部３２で受信したことに応答して（ステップＳ８０６）、表示データに基づいて、メッセージ選択画面５００をタッチパネル３２に表示する（ステップＳ８０７）。
【００７７】
そして、制御部３４は、支援者がメッセージ選択画面５００においてメッセージをタップして選択したことに応答して（ステップＳ８０８；Ｙｅｓ）、支援者が選択したメッセージと、その支援者を特定可能な支援者識別子と、を含むメッセージ選択指令を通信部３２からネットワークＮを介して送信する（ステップＳ８０９）。
【００７８】
サーバ装置４の制御部４３は、支援者端末３−ｎからネットワークＮを介して送信されるメッセージ選択指令を通信部４１で受信したことに応答して（ステップＳ８１０）、メッセージ選択指令に含まれる支援者識別子に対応する支援者情報から特定される支援者の表示名と、メッセージ選択指令に含まれるメッセージと、を含むメッセージ表示指令を通信部４１からネットワークＮを介して患者端末２に送信する（図９に示すステップＳ８１１）。
【００７９】
患者端末２の制御部２４は、サーバ装置４からネットワークＮを介して送信されるメッセージ表示指令を通信部２３で受信したことに応答して（ステップＳ８１２）、プレイ画面３００において、メッセージ表示指令から特定される支援者の表示名と、その支援者が選択したメッセージと、を患者がプレイ中のゲームの下方に表示する（ステップＳ８１３）。
【００８０】
患者がゲームのプレイを終了するまで（ステップＳ８１４；Ｎｏ）、制御部２４は、ステップＳ８０８に戻り、支援者がメッセージ選択画面５００において新たなメッセージを選択するのを待つ。そして、患者がゲームのプレイを終了すると（ステップＳ８１４；Ｎｏ）、制御部２４は、治療支援処理を終了する。
【００８１】
以上説明したように、本実施形態に係る治療支援システム１は、患者が治療のためのトレーニングに用いる患者端末２と、患者の支援者の支援者端末３−ｎと、これらとネットワークＮを介して接続され、患者ＤＢ４２１とメッセージＤＢ４２２とを備えるサーバ装置４と、を具備する。患者ＤＢ４２１は、患者毎に、患者の特性と、患者の支援者の支援者端末３−ｎを特定可能な支援者情報と、を対応付けて登録する。メッセージＤＢ４２２は、患者の特性に対応付けて、患者の治療に効果的なメッセージを登録する。
【００８２】
サーバ装置４の制御部（サーバ制御部）４３は、患者端末２からネットワークＮを介して送信される第１プレイ開始通知により、患者のトレーニング（ゲームのプレイ）の開始が通知されたことに応答して、その患者の特性及び支援者情報を患者ＤＢ４２１から読み出す。そして、制御部４３は、第２プレイ開始通知をネットワークＮを介して、患者ＤＢ４２１から読み出した支援者情報から特定される支援者端末３−ｎに送信することにより、患者のトレーニングの開始を、その患者の支援者の支援者端末３−ｎにさらに通知する。支援者端末３−ｎは、患者のトレーニングの開始が通知された後、支援者が患者のトレーニングの支援（ゲームをプレイ中の患者の応援）への参加を指示したことに応答して、応援参加要求をネットワークＮを介してサーバ装置４に送信する。
【００８３】
その後、制御部４３は、支援者端末３−ｎからネットワークＮを介して送信される応援参加要求により、患者のトレーニングの支援への参加が指示されたことに応答して、患者ＤＢ４２１から読み出した患者の特性に対応するメッセージをメッセージＤＢ４２２から検出する。そして、制御部４３は、メッセージＤＢ４２２から検出したメッセージを選択可能に表示するための表示データを、患者ＤＢ４２１から読み出した支援者情報から特定される支援者端末３−ｎに送信することにより、患者の治療に効果的なメッセージを、患者のトレーニングの支援への参加を指示した支援者端末３−ｎに選択可能に表示する。
【００８４】
支援者端末３−ｎは、サーバ装置４からネットワークＮを介して送信される表示データを受信したことに応答して、表示データに基づき、患者の特性に対応し、且つ患者の治療に効果的なメッセージを選択可能に表示部３２に表示する。また、表示部３２は、患者のトレーニングの状況を表示する。そして、支援者端末３−ｎの制御部（端末制御部）３４は、表示部３２にされるメッセージの中から、支援者が選択したメッセージを示すメッセージ選択指令を、ネットワークＮを介してサーバ装置４に送信する。
【００８５】
サーバ装置４の制御部４３は、支援者端末３−ｎからネットワークＮを介して送信されるメッセージ選択指令を受信したことに応答して、メッセージ選択指令から特定されるメッセージを、支援者からのメッセージとして、ネットワークＮを介して患者端末２に表示する。
【００８６】
このように、本実施形態では、ＭＣＩの患者の治療に関し相応の知識する専門家による監修の下、ＭＣＩの患者の治療に効果的なメッセージのみをメッセージＤＢ４２２に予め用意しておき、支援者は、ゲームをプレイ中の患者を応援するメッセージを、メッセージＤＢ４２２から選択することで、自律的かつ安全に対話して患者を効果的に支援することができる。これにより、ＭＣＩの患者の症状の悪化を防止することができる。また、早い段階でＭＣＩの患者の症状を見出し、対処できるようになる。さらに、患者本人以外の支援者（家族等）のストレスを軽減する等といった「心理的支援」をすることで、支援者の心身の健康度を向上させる。また結果的に患者本人の治療効果の向上にも貢献することができる。
【００８７】
なお、本発明は、上記の実施形態に限定されず、種々の変形、応用が可能である。以下、本発明に適用可能な上記の実施形態の変形態様について、説明する。
【００８８】
上記の実施形態では、治療対象として、ＭＣＩを例に説明した。しかしながら、本発明はこれに限定されるものではなく、治療対象は、患者が患者端末２を用いて治療のためのトレーニングを行えるものであれば任意であり、認知症や、発達障害、ギャンブル依存症等であってもよい。あるいは、高血圧や、慢性疼痛、がん等の内科系の疾患等であってもよい。
【００８９】
上記の実施形態において、制御部２４、３４、及び４３のＣＰＵが実行するプログラムは、予めＲＯＭ、並びに記憶部２１、３１、及び４２等に記憶されるものとして説明したが、本発明はこれに限定されるものではなく、上述の処理を実行させるためのプログラムを、既存の汎用コンピュータに適用することで、上記の実施形態に係る患者端末２、支援者端末３−ｎ、及びサーバ装置４として機能させてもよい。
【００９０】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【００９１】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【００９２】
なお、本発明は、本発明の広義の精神と範囲を逸脱することなく、様々な実施の形態及び変形が可能とされるものである。また、上述した実施の形態は、本発明の一実施例を説明するためのものであり、本発明の範囲を限定するものではない。
【符号の説明】
【００９３】
１        治療支援システム
２        患者端末
３−ｎ    支援者端末
４        サーバ装置
２１，３１，４２  記憶部
２２，３２        タッチパネル
２３，３３，４１  通信部
２４，３４，４３  制御部
３００        プレイ画面
４２１        患者ＤＢ
４２２        メッセージＤＢ
５００        メッセージ選択画面
【図１】
0006863645.tif 000002
【図２】
0006863645.tif 000003
【図３】
0006863645.tif 000004
【図４】
0006863645.tif 000005
【図５】
0006863645.tif 000006
【図６】
0006863645.tif 000007
【図７】
0006863645.tif 000008
【図８】
0006863645.tif 000009
【図９】
0006863645.tif 000010